(57)【要約】【課題】底部に発光体を取り付けた飲料用の透明なボトルを提供する。【解決手段】透明な飲料用のボトル２の底部に発光体６を装着させる。この発光体６は、第１の液体が充填された発光体６の内部に、第２の液体が入った破壊しやすい密閉ケースが封入され、発光体６の外側部分を押すと密閉ケースが壊れて第２の液体が流れ出し、第１の液体と第２の液体とが混合することによる化学反応で発光する。ボトル２の外周にはラベル５が巻かれ、ラベル５には種々の透過率や色彩を有する文字や図柄が描かれ、発光体６による発光を利用することによって視覚効果を得る。【選択図】図１
2011031968.tif 000002
【特許請求の範囲】
【請求項１】
底部に発光体を装着させた透明な飲料用のボトルであって、
前記発光体は、第１の液体が充填された前記発光体内部に、第２の液体が入った破壊しやすい密閉ケースが封入され、
前記発光体の外側部分を押すと前記密閉ケースが壊れて第２の液体が流れ出し、
第１の液体と第２の液体とが混合することによる化学反応で発光するとともに、
前記ボトルの外周にラベルが形成され、
このラベルの表面には種々の透過率や色彩を有する文字や図柄が描かれ、前記発光体による発光を利用することによって視覚効果を得ることを特徴とする発光体付き飲料用透明ボトル。
【請求項２】
前記ラベルは表面に描かれた文字や図柄とは別に裏面に
種々の透過率や色彩を有する文字や図柄が描かれ、前記発光体による発光を利用することによってはじめて視覚効果を得ることを特徴とする請求項１に記載の発光体付き飲料用透明ボトル。
【請求項３】
前記ボトルはペットボトルであることを特徴とする請求項１または２のいずれかに記載の発光体付き飲料用透明ボトル。
【発明の詳細な説明】
【技術分野】
【０００１】
本発明は、底部に発光体を取り付けた飲料用の透明なボトルに関する。
【背景技術】
【０００２】
ペットボトルは、日常の必需品としてすっかり生活に定着した。各メーカーはボトルの形状に工夫をしたり、ボトル外周のラベルのデザインで競合製品と差別化を図ったりする。また、ペットボトルは透明であって充填されている液体が外から見えることや容器自体の軽さからバッグに入れて持ち運べることなどの特徴により飲料入りのペットボトルを装飾品としても楽しめるようにした技術が存在する。
たとえば、特許文献１には、ペットボトルの凹陥状の底部に取り付けられる発光ユニットからなる「ペットボトル発光体」が開示されている。
また、特許文献２には、透明な容器に入ったミネラルウォーター・ジュースなどのラベルに、商品に沿った形の切抜き窓を作り、ラベル表面は従来の意匠をもち、同ラベル裏面の窓に対面する位置に、別段の意匠で絵画や文字を表示している「窓のあるラベル」が開示されている。
【先行技術文献】
【特許文献】
【０００３】
【特許文献１】実用新案登録第３１１８０９７号公報
【特許文献２】特開平１１−２３１７８６号公報
【発明の概要】
【発明が解決しようとする課題】
【０００４】
しかしながら、特許文献１に記載の「ペットボトル発光体」を構成する発光ユニットは、基板とＬＥＤ、及びＬＥＤを発光させる電池と通電部を備え、スイッチを押すとＬＥＤが点滅する仕組みとなっている。そのため、使い終わった後、発光体ごとゴミとして捨てるわけにはいかず基板とＬＥＤなどの電子部品とペットボトルとを分別して廃棄しなくてはならないので手間がかかる。そのうえ、「ペットボトル発光体」のような一種の消耗品に、希少金属も含む基板やＬＥＤなどの電子部品を用いることは、製造コストが高いだけでなく環境重視という時代の流れにそぐわない。
【０００５】
一方、特許文献２に記載の「窓のあるラベル」は、外部の光源によって初めて、窓からラベル裏側の模様などを見ることができるのであるから、どうしても外部環境任せの受動的な楽しみ方になってしまう。明暗が積極的にコントロールされるような屋内でのイベントなどでは、主催者も臨機応変に活用出来ないし、客もその場で興が乗るままに楽しむことは難しい。
【０００６】
以上の問題点に鑑み、本発明は、ペットボトルの内部の飲料を照らす光源として機能し、使用後は分別することなく一般ゴミとして廃棄できる発光体を備えたペットボトルを提供することを目的とする。
【課題を解決するための手段】
【０００７】
上記の目的を達成するために、本発明は、
底部に発光体を装着させた飲料用の透明なボトルであって、
前記発光体は、第１の液体が充填された前記発光体内部に、第２の液体が入った破壊しやすい密閉ケースが封入され、
前記発光体の外側部分を押すと前記密閉ケースが壊れて第２の液体が流れ出し、
第１の液体と第２の液体とが混合することによる化学反応で発光するとともに、
前記ボトルの外周にラベルが形成され、
このラベルの表面には種々の透過率や色彩を有する文字や図柄が描かれ、前記発光体による発光を利用することによって視覚効果を得ることを特徴とする。
図柄には、模様や図形のほかに絵や写真なども含まれる。
前記ボトルは、ガラス製或いはプラスチック製などのボトルでもよいが、ペットボトルであることが好ましい。
【０００８】
また、上記の目的を達成するために、前記ラベルは表面に描かれた文字や図柄とは別に裏面に種々の透過率や色彩を有する文字や図柄が描かれ、前記発光体による発光を利用することによってはじめて視覚効果を得るようにしてもよい。
【発明の効果】
【０００９】
発光体内部の２種類の液体を混合させると発光し、ボトルの底部から上方に向かって光が照射されるので、ボトル全体が光を発しているような外観を呈し、単なるボトル入りの飲料にとどまらず、イベント会場や室内のアクセサリーとしての機能も果たす。
【図面の簡単な説明】
【００１０】
【図１】第１の実施形態のペットボトル全体を示す図である。
【図２】第１の実施形態の発光体の一部断面正面図である。
【図３】第１の実施形態の発光体を発光させる様子を説明する図である。
【図４】第１の実施形態の光の照射による作用を説明する図である。
【図５】第１の実施形態の変形例の光の照射による作用を説明する図である。
【図６】第２の実施形態のラベルの表面と裏面を例示する図である。
【図７】第２の実施形態の光の照射による作用を説明する図である。
【発明を実施するための形態】
【００１１】
《第１の実施の形態》
以下、本発明の第１の実施形態のペットボトルについて図面を参照しながら説明する。
この実施の形態は請求項１に係る発明に対応するものである。
【００１２】
本実施の形態のペットボトル１はボトル本体２と着脱自在なキャップ３と内部に充填されている飲料４とラベル５と発光体６からなる。
ペットボトル１は、発光体６を底部に取り付けた点を除き、市販の飲料入りペットボトルと異なるところは無い。
ボトル本体２と飲料４は、透明であれば、無色でも有色でもどちらでもよい。また、内部の光が視認できるならば半透明でもよい。
ラベル５は、図１ではボトル本体２の外側中央部分に帯状に巻かれているが、ボトル本体２の外側のほぼ全体を覆うようなものであってもよい（図５参照）。ラベル５には、本例では「緑茶」の文字が描かれているが、文字に限らず絵や写真等の図柄を含んでいてもよい。
【００１３】
次に、図２を参照しながら、発光体６について説明する。発光体６は、ボトル本体２の底面の形状と合致する曲面状の液体容器本体７と、この液体容器本体７を密閉する取付板８とで容器部分を構成する。この容器部分には第１の液体９と、任意個数の密閉ケース１０が充填され、密閉ケース１０の内部には第２の液体１１が充填されている。
取付板８は、液体容器本体７の開口部よりも大きく、ペットボトル本体２への接着機能をあわせ持つ。具体的には、取付板８表面の液体容器本体７の開口部を取り巻く部分には粘着剤１２が塗布され、その上に剥離紙１３が貼付されている。発光体６をボトル本体２に取り付け固着するためには、取付板８に貼付されている剥離紙１３をはがし、露出した粘着剤１２の部分をボトル本体２の底部に貼り付けるだけでよい。
【００１４】
液体容器本体７は、透明で柔軟かつ強靭な樹脂からなることが望ましい。
取付板８は、液体容器本体７に使用する樹脂よりも柔軟な樹脂であることが望ましい。図３に示すように矢印Ｒの向きから発光体６の取付板８に外力を加え、発光体６内部の密閉ケース１０を壊すためには、柔軟な樹脂でなければならないからである。また、取付板８の内部面はアルミ蒸着など光を反射する加工がなされていることが望ましい。これは、光を反射することによりペットボトル側の光量が増すからである。
密閉ケース１０は、取付板８が押されたりした時に簡単に割れたり破れたりするガラスや樹脂などが望ましい。
第１の液体９と第２の液体１１は、混合すると発光し、かつ安全性が確認された物質であればどのようなものでもよい。密閉ケース１０が破壊されると第２の液体１１が流れ出て、第１の液体９と混合して化学反応を起こし発光する。化学反応が終わるまで発光し続ける。
２種類の液体を化学反応により発光させることは周知なので詳細は省略する。また、液体の組み合わせによって、種々の発色が可能なので、ボトル本体２や飲料４の着色あるいは透過率などを考慮して多様な光輝色を楽しめるように液体の組み合わせを選択すればよい。
密閉ケース１０の個数は、１個以上であれば何個でもよく、１個のケース１０内に入る液体１１の分量も勘案のうえ、個数を決めればよい。
【００１５】
液体容器本体７の外側の形状は、図３に示すようにペットボトル本体２の底部の形状と合致していることが好ましい。もし、合致していなければ、ボトル本体２と発光体６との間に隙間が生じ、液体の化学反応によって発生した光が効率よくボトル本体２の内部を照射しないからである。
【００１６】
図４のようにラベル５に「緑茶」の文字が書かれ、この文字の周りを破線で表した矩形で囲んでいるとする。この場合、発光体６が発光すると、ボトル本体２の底部から上方に向かって光が照射するので、外部からは飲料４およびボトル本体２の全体が発光するかのような視覚効果を生ずる。ラベル５の表面からも透過率に応じて光が透過する。
ここで、透過率は矩形部分Ａ→背景部分Ｂ→文字（「緑茶」）部分Ｃの順に低くなっているとする。背景部分Ｂとは、ラベル５から文字「緑茶」を含む矩形部分Ａを除いた部分をいう。このとき、文字部分Ｃ→背景部分Ｂ→矩形部分Ａの順に輝度が高くなる。もし、ラベル５の表面を少しずつ透過率あるいは色彩を変えていくならば、飲料４およびボトル本体２内部を照射した光の透過具合がラベル５の箇所によってそれぞれ異なる結果、一層印象的な視覚効果を生ずることができる。
【００１７】
コンサート会場など屋内や夜間のイベント会場で、照明を落し、観客がそれぞれ本実施形態のペットボトル１を発光させて前後左右に動かしたり振り回したりすると、イベントの雰囲気を盛り上げることができる。
【００１８】
図５に第１の実施の形態の変形例を示す。ボトル本体２のほとんどの部分が透過率０％に近いラベル５で覆われている。このラベル５に１００％に近い透過率で文字「Ｘ」が描かれている。発光体６が発光していなければ、文字「Ｘ」は視認できるとしても特に装飾的効果があるわけではない。しかし、発光させ、底部からペットボトル内部に光が照射されると、「Ｘ」の文字部分のみが光って、他の部分は光を遮断するので、「Ｘ」の文字が浮き出てくるような視覚効果を生ずる。コンサート会場などで観客に、文字「Ｘ」の代わりに、コンサートの主役である歌手の名前などが高い透過率で描かれているペットボトル１を渡すと、観客に喜ばれることは間違いない。
特に会場の照明を落し、その歌手の名前などが光って見えるようにしたら、観客の興趣を誘ってコンサートは大いに盛り上り、会場内でのボトル入り飲料の販売促進にも寄与するだろう。
【００１９】
《第２の実施の形態》
図６および図７を参照しながら、第２の実施の形態について説明する。この実施の形態は請求項２に係る発明に対応するものである。
ボトル本体に巻かれたラベルの表面には適宜さまざまな透過率や色彩で文字や図柄が描かれている点は第１の実施の形態と同様である。しかし、この実施形態では、ラベルは表面の文字や図柄とは別に裏側にも表面とは透過率や色彩の異なる文字あるいは図柄が描かれている点に特徴がある。
【００２０】
例えば、図６の左側に示すラベルの表面には円形の図形Ｄが描かれており、自然光のもとでは、この円形部分Ｄと背景部分Ｅのいずれも視認できる。
一方、図６の右側に示すラベルの裏面には閉曲線で囲まれた１個の図形が描かれており、破線で表した閉曲線Ｆの内部Ｇは不透明すなわち光を通さず、他の部分Ｈは半透明すなわち光源があれば光を通す。発光体６を発光させる前は、図７に示すように円形部分Ｄが見えるがラベルの裏側の破線Ｆで囲まれた内側部分Ｇははっきりと見ることはできない。しかし、発光させてペットボトル内部を照射すると、破線Ｆで囲まれた部分Ｇは光を遮断するので、発光体６による光によって図形Ｇを視認することができる。
この面白み、意外性は、装飾手段や広告宣伝手段としてきわめて有効である。
【００２１】
例えば、ある歌手が出演するイベントで、ラベル表面にその歌手の写真が印刷されたペットボトル入り飲料を配るとする。底部を押して発光させると、表面の写真が見えづらくなるとともに、裏面に印刷してあるが表面からは見えなかった歌手の名前が見えるようになれば、このペットボトルだけでなくそのイベントの記憶も残ることになる。
【００２２】
上記の実施の形態のようにボトルとしてはペットボトルが代表的であるが、これに限らず、透明であればガラス等のボトルでもよい。
上記の実施の形態では、内部に飲料が充填されているものとして説明したが、飲料が入っていなくても光による装飾的効果を楽しむことができる。飲料を飲み終えた後でも、発光体６内部の２種類の液体が化学反応を起こしている間は、ボトル全体が発光しているかのような外観を呈するからである。
また、上記の実施の形態に示すボトル本体の底面に発光体を固着させる方法などは一例にすぎない。さらに、ペットボトルを配布する時にすでに発光体を取り付けてあってもよいが、ペットボトルのいわばおまけとして発光体を配布し、各ユーザが好みにより発光体を取り付けてもよい。
【産業上の利用可能性】
【００２３】
屋内屋外を問わず我々の生活行動全般に浸透しているペットボトル飲料を、面白い光源として生活に彩りを与えたり、あるいは各種イベントを盛り上げるアイテムとして使用したりすることで、ペットボトル飲料のさらなる需要の増加を図ることができる。
【符号の説明】
【００２４】
１    発光体付き飲料用透明ボトル
２    ペットボトル本体
３    キャップ
４    飲料
５    ラベル
６    発光体
７  （６の）液体容器本体
８  （６の）取付板
９    第１の液体
１０  密閉ケース
１１  第２の液体
１２  粘着剤
１３  剥離紙
【図１】
2011031968.tif 000003
【図２】
2011031968.tif 000004
【図３】
2011031968.tif 000005
【図４】
2011031968.tif 000006
【図５】
2011031968.tif 000007
【図６】
2011031968.tif 000008
【図７】
2011031968.tif 000009